(57)【要約】      （修正有）【課題】必要以上に装置全体が大きくなることを防止でき、一時的に被処理排水量が増加した場合にも対応可能な排水処理装置等を提供する。【解決手段】被処理排水の汚濁物質濃度およびｐＨを均一化させて濃度調整排水にする濃度調整槽２ａと、この濃度調整槽から送液された濃度調整排水を一時的に貯留する少なくとも１槽以上の緩衝槽２ｂと、この緩衝槽から送液された濃度調整排水に活性汚泥処理を施す曝気槽３とを直列に配置した排水処理装置とした。この排水処理装置を用いて第２の送液手段を作動させることにより緩衝槽内の水位が設定水位に達したことを検知した際に、第２の送液手段の作動を停止し、次いで、第１の送液手段を作動させて濃度調整排水を送液して、この送液された濃度調整排水と残留していた濃度調整排水とを混合した混合排水の一部を第２の送液手段を作動させて曝気槽に送液する排水処理方法とした。【選択図】図１
2009061410.tif 000002
【特許請求の範囲】
【請求項１】
被処理排水の汚濁物質濃度およびｐＨを均一化させて濃度調整排水にする曝気攪拌手段が備えられた濃度調整槽と、この濃度調整槽から第１の送液ラインを介して送液された上記濃度調整排水を一時的に貯留する少なくとも１槽以上の緩衝槽と、この緩衝槽から第２の送液ラインを介して送液された濃度調整排水に活性汚泥処理を施す曝気槽とが直列に配置されていることを特徴とする排水処理装置。
【請求項２】
上記緩衝槽は、１槽設けられており、かつ上記第１の送液ラインには、上記濃度調整槽から上記緩衝槽に上記濃度調整排水を送液する第１の送液手段が介装されるとともに、上記第２の送液ラインには、上記第１の送液手段が作動停止している際に作動可能であって、上記緩衝槽から上記曝気槽に上記濃度調整排水を送液する第２の送液手段が介装されていることを特徴とする請求項１に記載の排水処理装置。
【請求項３】
上記緩衝槽には、上記濃度調整排水が設定水位に達したことを検知可能な水位検知手段が設けられていることを特徴とする請求項２に記載の排水処理装置。
【請求項４】
請求項３に記載の排水処理装置を用いて、被処理排水を処理する排水処理方法であって、
上記緩衝槽に貯留された濃度調整排水の一部を上記第２の送液手段を作動させて上記曝気槽に送液することにより、当該緩衝槽内の水位が上記設定水位に達したことを検知した際に、上記第２の送液手段の作動を停止し、次いで、上記第１の送液手段を作動させて、上記濃度調整槽から当該緩衝槽に上記濃度調整排水を送液して、この送液された濃度調整排水と残留していた濃度調整排水とを混合した混合排水の一部を、上記第１の送液手段の作動を停止させた後に、上記第２の送液手段を作動させて、上記曝気槽に送液することを特徴とする排水処理方法。
【発明の詳細な説明】
【技術分野】
【０００１】
本発明は、活性汚泥を用いる好気性処理によって排水を処理する場合に、被処理排水の有機物濃度、ｐＨ、塩素濃度などを均一化して活性汚泥処理を効果的に行うことができる排水処理装置及びそれを用いた排水処理方法に関するものである。
【背景技術】
【０００２】
下水道、工場排水、畜産排水等の汚水を浄化処理する方法として、従来から活性汚泥法が広く利用されている。この活性汚泥法は、被処理排水を曝気槽に供給して、曝気を行いながら好気性微生物（活性汚泥）による被処理排水中の主として有機物からなる汚濁物質を酸化分解して浄化する方法である。
【０００３】
かような活性汚泥法による浄化処理においては、曝気槽における活性汚泥の処理能力を良好に保つために、被処理排水中の有機物濃度、ｐＨ、塩素濃度などを均一に維持することが重要となる。例えば、曝気槽へ供給する被処理排水のＢＯＤ濃度は５００ｍｇ／Ｌ以下が理想であり、これより高いＢＯＤ濃度の排水を供給した場合には、活性汚泥が仮眠状態となり、さらには死滅してしまい、活性汚泥の機能障害が生じることもあり、活性汚泥の機能が復活するまで１〜２週間を要してしまう。
【０００４】
特に、被処理排水として、酪農で搾乳のために使用する機器の洗浄排水や廃棄乳を含むパーラー排水を処理する場合には、例えば５０頭規模の酪農では１日当たり約２ｍ3のパーラー排水が発生し、２週間で約２８ｍ3のパーラー排水が排出されることになるが、かような大容量の排水を貯留する大容量のタンクを設置することはコスト的に困難となる。
【０００５】
そこで、上記排水処理装置としては、例えば、特許文献１に示すように曝気槽の上流側に調整槽を設けた装置なども提案されており、パーラー排水等の被処理排水を曝気槽へ直接供給せずに、調整槽に一旦貯留して汚濁物質の濃度をある程度均一にした後に、曝気槽に供給するようになっている。
【０００６】
この曝気槽の上流側に被処理排水を一旦貯留する調整槽を設置した排水処理装置の一例を図２に示す。種々の排水発生場所から原水槽１０へ順次供給された被処理排水は、直ちにポンプ８１により濃度調整槽２０へ圧送され、ここで一定時間貯留されて有機物濃度、ｐＨ、塩素濃度などが均一化された濃度調整排水となる。濃度調整排水はポンプ８２により濃度調整槽２０から曝気槽３０へ流量を調整されながら連続的に圧送され、ここで曝気ブロアＢ１に接続された散気管３１から曝気槽３０内へ吹き込まれる気泡により、濃度調整排水が活性汚泥とともに曝気撹拌されて活性汚泥処理がなされ、排水中の汚濁物質が除去される。汚濁物質が除去された処理排水は、膜ユニット３３によってろ過され、活性汚泥（余剰汚泥）と処理排水とに分離される。膜ユニット３３には曝気ブロアＢ２に接続された散気管３２から気泡が吹き付けられ、活性汚泥が膜に付着するのを防止する。分離された処理排水はポンプ８３により曝気槽３０から抜き出されて放流される。
【０００７】
しかしながら、図２のように曝気槽３０の上流に被処理排水を貯留する濃度調整槽２０を設置した場合でも、排水の濃度調整槽２０への圧送と調整槽２０から曝気槽３０への圧送とが同時に行われる結果、濃度調整槽２０で排水が十分に滞留せず濃度調整が未だなされていないうちに曝気槽３０へ圧送してしまう危険がある。また、このような危険性に備えて活性汚泥の機能障害が生じた場合に活性汚泥の機能が復活するまで被処理排水を貯留する大容量の濃度調整槽２０を設置することはコスト的に困難である。
【０００８】
これに対して、本発明者らは、図３に示すように原水槽１０の下流側に並列に接続された２槽の濃度調整槽２０ａ、２０ｂと、これら濃度調整槽２０ａ、２０ｂの下流側に接続された曝気槽３０とを有する排水処理装置を提案している。
この排水処理装置における原水槽１０から一方の濃度調整槽２０ａに圧送した被処理排水を一定時間曝気攪拌することにより、被処理排水の汚濁物質濃度およびｐＨを均一化させた濃度調整排水を曝気槽３０へ圧送して活性汚泥処理を施す工程Ａと、他方の上記濃度調整槽２０ｂに圧送した被処理排水を一定時間曝気攪拌することにより被処理排水の汚濁物質濃度およびｐＨを均一化させた濃度調整排水を曝気槽３０へ圧送して活性汚泥処理を施す工程Ｂとを交互に行うことにより、連続的に濃度調整排水を曝気槽３０に圧送して被処理排水を処理することができる。
【０００９】
ところが、上述の排水処理装置は、２槽の濃度調整槽２０ａ、２０ｂがそれぞれ原水槽１０との間及び曝気槽３０との間に被処理排水を流通させるための配管を設けるとともに、原水槽１０との間の各配管に固形物を分離するスクリーン及びポンプを介装し、かつ曝気槽３０との間の各配管にポンプを介装する必要があるため、必要以上に装置全体が大きくなってしまうという欠点がある。
また、上述の排水処理装置は、一時的に被処理排水量が増加した場合に、濃度調整槽２０ａ、２０ｂによる曝気攪拌の時間を短くすることができないことから、一時的な排水量の増加に対応することができないという欠点がある。
【００１０】
【特許文献１】特開平８−２５７５８２号公報
【特許文献２】特開２００６−２９７７３３６号公報
【発明の開示】
【発明が解決しようとする課題】
【００１１】
そこで、本発明は、必要以上に装置全体が大きくなってしまうことを防止でき、かつ一時的に被処理排水量が増加した場合にも対応可能な排水処理装置およびそれを用いた排水処理方法を提供することを目的としてなされたものである。
【課題を解決するための手段】
【００１２】
すなわち、請求項１に記載の本願発明に係る排水処理装置は、被処理排水の汚濁物質濃度およびｐＨを均一化させて濃度調整排水にする曝気攪拌手段が備えられた濃度調整槽と、この濃度調整槽から第１の送液ラインを介して送液された上記濃度調整排水を一時的に貯留する少なくとも１槽以上の緩衝槽と、この緩衝槽から第２の送液ラインを介して送液された濃度調整排水に活性汚泥処理を施す曝気槽とが直列に配置されていることを特徴とするものである。
なお、本明細書中で「汚濁物質」という用語は、排水中に含まれる有機物、ＳＳ、ｎ−Ｈｅｘ、Ｎ、Ｐ、Ｃｌなどを総称する用語として使用しており、「汚濁物質濃度」とは、これらの濃度を意味するものである。
【００１３】
請求項２に記載の発明は、請求項１に記載の排水処理装置において、上記緩衝槽は、１槽設けられており、かつ上記第１の送液ラインには、上記濃度調整槽から上記緩衝槽に上記濃度調整排水を送液する第１の送液手段が介装されるとともに、上記第２の送液ラインには、上記第１の送液手段が作動停止している際に作動可能であって、上記緩衝槽から上記曝気槽に上記濃度調整排水を送液する第２の送液手段が介装されていることを特徴とするものである。
【００１４】
請求項３に記載の発明は、請求項２に記載の排水処理装置において、上記緩衝槽には、上記濃度調整排水が設定水位に達したことを検知可能な水位検知手段が設けられていることを特徴とするものである。
【００１５】
請求項４に記載の発明に係る排水処理方法は、請求項３に記載の排水処理装置を用いて、被処理排水を処理する排水処理方法であって、上記緩衝槽に貯留された濃度調整排水の一部を上記第２の送液手段を作動させて上記曝気槽に送液することにより、当該緩衝槽内の水位が上記設定水位に達したことを検知した際に、上記第２の送液手段の作動を停止し、次いで、上記第１の送液手段を作動させて、上記濃度調整槽から当該緩衝槽に上記濃度調整排水を送液して、この送液された濃度調整排水と残留していた濃度調整排水とを混合した混合排水の一部を、上記第１の送液手段の作動を停止させた後に、上記第２の送液手段を作動させて、上記曝気槽に送液することを特徴とするものである。
【発明の効果】
【００１６】
請求項１〜３に記載の排水処理装置及び請求項４に記載の排水処理方法によれば、被処理排水の汚濁物質濃度およびｐＨを濃度調整槽における曝気攪拌によって均一化させた濃度調整排水を、第１の送液ラインを介して緩衝槽に送液して、この緩衝槽から第２の送液ラインを介して曝気槽に送液することによって、活性汚泥処理による汚濁物質の酸化分解により、被処理排水を浄化することができ、濃度未調整の被処理排水をそのまま曝気槽に流出させてしまうことを防止できる。
加えて、濃度調整槽と緩衝槽と曝気槽とを直列に配置したため、２槽の濃度調整槽を並列に配置した場合と異なって、配管等によって必要以上に装置全体が大きくなってしまうことを防止することができる。
【００１７】
さらには、２槽の濃度調整槽を並列に配置した場合と異なって、一時的に被排水量が増加した場合にも、緩衝槽から濃度調整排水の一部を曝気槽に送液した後に、当該緩衝槽に濃度調整排水を送液して、新たに送液された濃度調整排水と残留していた濃度調整排水とを当該緩衝槽において混合することにより、濃度調整槽における曝気攪拌時間を短くして、濃度調整排水を曝気槽に送液しても、活性汚泥の機能障害が生じることを防止できる。
従って、請求項１〜３に記載の排水処理装置は、上述のように濃度調整槽による曝気攪拌時間等を短くして、濃度調整排水を攪拌槽に送液することにより、残留していた濃度調整排水と混合して、混合排水を曝気槽に送液させる等の状況に応じた様々な利用方法による排水処理を可能にすることができる。
【００１８】
特に、請求項２に記載の発明によれば、確実に濃度未調整の被処理排水をそのまま曝気槽に送液してしまうことを阻止できる。
また、請求項３に記載の発明によれば、容易に水位検知手段によって設定水位に達したことを検知することができ、その結果、新たに送液する濃度調整排水と残留していた濃度調整排水との混合割合を一定に保つことができるとともに、混合割合を調整することができる。
【００１９】
従って、請求項４に記載の発明に係る排水処理方法によれば、上述のように曝気攪拌時間を短くして、汚濁物質濃度およびｐＨの均一化の不十分な濃度調整排水を緩衝槽に送液しても、混合排水とすることにより曝気槽において活性汚泥の機能障害が生じることを防止でき、その結果、一時的な被処理排水量の増加にも対応することができる。
【発明を実施するための最良の形態】
【００２０】
以下に、本発明に係る排水処理装置の一実施形態について、図１を用いて説明する。
本実施形態の排水処理装置は、被処理排水が貯留された原水槽１と、第１の濃度調整槽２ａと、第２の濃度調整槽（緩衝槽）２ｂと、曝気槽３とが上流側から下流側に向けて直列に配置されて概略構成されている。
【００２１】
これらの第１の濃度調整槽２ａおよび第２の濃度調整槽２ｂには、それぞれ曝気ブロアＢ１及びそれに接続された散気管２３が設けられるとともに、ｐＨ調整剤投入管２１および塩素還元剤投入管２２が接続されている。
加えて、第２の濃度調整槽２ｂ内には、その水面に浮くフロート（図示を略す）が配設されており、この第２の濃度調整槽２ｂの外方には、このフロートの高さから濃度調整排水の水位を受信する受信器（図示を略す）が設けられている。これらのフロートおよび受信器により水位検知手段が構成されている。
【００２２】
また、曝気槽３は、曝気ブロアＢ２及びそれに接続された散気管３１が設けられているとともに、その排出口に臨む位置に被処理排水を濾過する膜ユニット３３が設置されており、この膜ユニット３３に気泡を吹き付ける散気管３２及びそれに接続された曝気ブロアＢ３が設けられている。
【００２３】
そして、原水槽１と第１の濃度調整槽２ａとの間には、スクリーン７０およびポンプＰ１が介装された第１の配管７１が設けられるとともに、第１の濃度調整槽２ａと第２の濃度調整槽２ｂとの間には、ポンプ（第１の送液手段）Ｐ２が介装された第２の配管（第１の送液ライン）７２が設けられている。
また、第２の濃度調整槽２ｂと曝気槽３との間には、ポンプ（第２の送液手段）Ｐ３が介装された第３の配管（第２の送液ライン）７３が設けられるとともに、この曝気槽３の排出口にポンプＰ４を介装した配管７４が接続されており、本実施形態の排水処理装置には、これらのポンプＰ１〜Ｐ３を制御する制御装置（図示を略す）が設けられている。
【００２４】
この制御装置は、上記受信器に受信した水位に応じてポンプＰ１〜Ｐ３を制御可能に設けられており、かつポンプＰ２と、ポンプＰ１、Ｐ３とを同時に作動させないように設定されている。なお、ポンプＰ４は、曝気槽３の水位制御装置（図示を略す）によって、常に活性汚泥が曝気槽３内に残存するように作動制御されている。
【００２５】
次に、上記排水処理装置を用いた被処理排水の２つの排水処理方法について説明する前に、これらの排水処理方法によって処理される被処理排水について説明する。
これらの第１の排水処理方法および第２の排水処理方法は、いずれも被処理排水として、酪農で搾乳のために使用する機器の洗浄排水及び初乳や乳房炎治療後の牛乳の廃棄乳を含むパーラー排水を処理するものである。
【００２６】
ここで、搾乳機器には、パイプラインミルカーやバルククーラーなどがある。パイプラインミルカーは、牛の乳房に取り付けて搾乳するミルカーで搾乳された生乳をタンクに集めてポンプでバルククーラーへ送るための一連の装置であり、バルククーラーは、集乳用の車が生乳を集めにくるまで生乳を冷却保存する装置である。これらの装置の洗浄排水には、強酸洗剤、強アルカリ洗剤、殺菌塩素、機器残留牛乳が含まれるため、環境汚染の原因となる。また、廃棄乳とは、出産後に出る初乳や乳房炎治療後の牛乳で、出荷できずに廃棄処理するものを意味するものである。
【００２７】
そして、初乳のＢＯＤ濃度は１２０，０００ｍｇ／Ｌ、牛乳のＢＯＤ濃度は７８，０００ｍｇ／Ｌと非常に高いため、これらの廃棄乳を単独で浄化処理することは不可能である。
このため、これらのＢＯＤ濃度の高い廃棄乳は、ＢＯＤ濃度の低い洗浄排水と混合することにより濃度を均一にする必要がある。
【００２８】
そこで、これらのパイプラインミルカー洗浄排水及びバルククーラー洗浄排水の機器の洗浄排水、廃棄乳や洗濯機排水などの各種被処理排水からなるパーラー排水を、排出された順番に原水槽１へ供給する。
【００２９】
次に、第１の排水処理方法について、説明する。
第１の排水処理方法においては、原水槽１に貯留した一日分のパーラー排水を、ポンプＰ１を作動させて、第１の濃度調整槽２ａに圧送して、貯留し、ポンプＰ１を停止させる。
これにより、この第１の濃度調整槽２ａに貯留したパーラー排水を、約一日かけて曝気ブロアＢ１から散気管２３を通じて吹き込まれる気泡により、曝気攪拌して、ＢＯＤ濃度の低い洗浄排水とＢＯＤ濃度の高い廃棄乳とを混合するとともに、必要に応じてｐＨ調整剤投入管２１からｐＨ調整剤や塩素還元剤投入管２２から塩素還元剤を投入して、ＢＯＤ、ＣＯＤ、ＳＳ、ｎ−Ｈｅｘ、Ｔ−Ｎ、Ｔ−ＰおよびＣｌなどの汚濁物質濃度の値やｐＨ値を均一化させ且つ活性汚泥処理可能な値に調整した濃度調整排水とした。
【００３０】
次いで、この濃度調整排水を、ポンプＰ２を作動させて、第１の濃度調整槽２ａから第２の濃度調整槽２ｂに圧送して、貯留し、ポンプＰ２を停止させた。この第２の濃度調整槽２ｂに貯留した濃度調整排水を、第１の濃度調整槽２ａと同様に、曝気ブロアＢ１から散気管２３を通じて吹き込まれる気泡により、曝気攪拌して、必要に応じてｐＨ調整剤投入管２１からｐＨ調整剤や塩素還元剤投入管２２から塩素還元剤を投入して、さらに汚濁物質濃度やｐＨ値を均一化させた。
他方、ポンプＰ２の停止後、ポンプＰ１を作動させて、一日後のパーラー排水を第１の濃度調整槽２ａに貯留し、同様に曝気攪拌させている。
【００３１】
次に、この第２の濃度調整槽２ｂの濃度調整排水を、ポンプＰ３を作動させて、曝気槽３に圧送する。
これにより、曝気槽３に貯留した濃度調整排水を、曝気ブロアＢ２から散気管３１を通じて吹き込まれる気泡により、曝気槽３内に常に存在する活性汚泥とともに曝気攪拌して、活性汚泥処理を施し、汚濁物質を分解除去する。そして、この汚濁物質を分解除去した処理排水を、膜ユニット３３によって濾過して、活性汚泥（余剰汚泥）と処理排水とに分離して、この処理排水を排水口からポンプＰ４の作動により排出する。
それとともに、第２の濃度調整槽２ｂの全ての濃度調整排水を曝気槽３に圧送した後に、ポンプＰ３を停止させ、その後、ポンプＰ２を作動させることにより、一日後の濃度調整排水を第２の濃度調整槽２ｂに圧送して、同様に曝気攪拌させている。次いで、上記ポンプＰ４の作動停止後、第２の濃度調整槽２ｂで曝気攪拌させた一日後の濃度調整排水を同様に、ポンプＰ３を作動させて、曝気槽３に圧送することにより、繰り返し、パーラー排水を処理している。
【００３２】
次に、本発明に係る上記排水処理装置を用いた第２の排水処理方法について、説明する。
第２の排水処理方法においては、原水槽１内のパーラー排水をポンプＰ１を作動させて、第１の濃度調整槽２ａに圧送して貯留した後に、ポンプＰ１を停止させる。
これにより、この第１の濃度調整槽２ａに貯留したパーラー排水を、例えば約半日等の第１の排水処理方法よりも短い時間、曝気ブロアＢ１から散気管２３を通じて吹き込まれる気泡により曝気攪拌するとともに、必要に応じてｐＨ調整剤投入管２１からｐＨ調整剤や塩素還元剤投入管２２から塩素還元剤を投入して、汚濁物質濃度やｐＨ値を均一化させ且つ活性汚泥処理可能な値に調整する。
【００３３】
次いで、この濃度調整排水を、第１の排水処理方法と同様に、ポンプＰ２を作動させて第２の濃度調整槽２ｂに圧送して、残留していた濃度調整排水とともに曝気攪拌して混合排水とする。また、必要に応じてｐＨ調整剤投入管２１からｐＨ調整剤や塩素還元剤投入管２２から塩素還元剤を投入する。
【００３４】
次に、この第２の濃度調整槽２ｂの混合排水を、ポンプＰ３を作動させて、上記受信器によってフロートの高さが設定位置に達したことを検知するまで曝気槽３に圧送する。
これにより、曝気槽３に貯留した混合排水を、第１の排水処理方法と同様に、曝気ブロアＢ２から散気管３１を通じて吹き込まれる気泡により活性汚泥とともに曝気攪拌して、汚濁物質を分解除去する。そして、この汚濁物質を分解除去した処理排水を、膜ユニット３３によって濾過して、活性汚泥（余剰汚泥）と処理排水とに分離して、この処理排水を排水口からポンプＰ４の作動により排出する。
【００３５】
上述の排水処理装置によれば、第１の濃度調整槽２ａにおける曝気ブロアＢ１等による曝気攪拌により被処理排水の汚濁物質濃度およびｐＨを均一化させ且つ活性汚泥可能な値に調整した濃度調整排水を第２の濃度調整槽２ｂに圧送した後に、この第２の濃度調整槽２ｂから濃度調整排水を曝気槽３に圧送させることによって、活性汚泥による汚濁物質の酸化分解により濃度調整排水を浄化することができ、濃度未調整の被処理排水をそのまま曝気槽に流出させてしまうことを防止できる。
【００３６】
加えて、第１の濃度調整槽２ａと第２の濃度調整槽２ｂと曝気槽３とを直列に配置したため、第１の濃度調整槽２ａと第２の濃度調整槽２ｂとを並列に配置した場合と異なって、これらの濃度調整槽２ａ、２ｂと上下流側にそれぞれ設けられた装置とを接続する配管等によって必要以上に装置全体が大きくなってしまうことを防止することができる。
【００３７】
さらには、２槽の濃度調整槽２ａ、２ｂを並列に配置した場合と異なって、一時的に被排水量が増加した場合にも、混合排水の一部を第２の濃度調整槽２ｂから曝気槽３に圧送することにより受信器によってフロートの高さが設定位置に達したことを検知した際に、この曝気槽３への圧送を停止し、かつ第２の濃度調整槽２ｂに濃度調整排水を圧送して、新たに送液した濃度調整排水と残留していた濃度調整排水とを混合することにより、第１の濃度調整槽２ａにおける曝気攪拌時間を短くしても、活性汚泥の機能障害が生じることを防止できる。
【００３８】
故に、上記排水処理装置は、被処理排水を第１の濃度調整槽２ａにおいて曝気攪拌することにより濃度調整排水として、第２の濃度調整槽２ｂに圧送させた全量の濃度調整排水を曝気槽３に圧送して、活性汚泥処理を施すだけでなく、上述のように第１の濃度調整槽２ａにおける曝気攪拌時間等を短くして、第２の濃度調整槽２ｂにおいて混合排水にする等の状況に応じた様々な利用方法による排水処理を可能にすることができる。
【００３９】
従って、上述の第２の排水処理方法によれば、活性汚泥の機能障害が生じることを防止しつつも一時的な被処理排水量の増加に対応することができる。
【００４０】
なお、本発明は、上述の実施形態に何ら限定されるものでなく、例えば、水位検知手段が設けられていなくてもよいものである。
さらに、第２の濃度調整槽２ｂは、ｐＨ調整剤投入管２１、塩素還元剤投入管２２、散気管２３や曝気ブロアＢ１が設けられた濃度調整槽でなくてもよく、曝気槽３に圧送するまでの一時的な間、濃度調整排水を貯留混合可能な緩衝槽であれば足りるものである。また、第２の濃度調整槽２ｂは、複数槽設けられていてもよいものである。
【図面の簡単な説明】
【００４１】
【図１】本発明による排水処理装置の一実施例を示す概念説明図である。
【図２】従来の排水処理装置の一例を示す概念説明図である。
【図３】図２の排水処理装置を改良した従来の排水処理装置を示す概念説明図である
【符号の説明】
【００４２】
１          原水槽
２ａ        第１の濃度調整槽
２ｂ        第２の濃度調整槽（緩衝槽）
２１        ｐＨ調整剤投入管
２２        塩素還元剤投入管
３          曝気槽
３３        膜ユニット
７１〜７４  配管
Ｐ１〜Ｐ５  ポンプ
Ｂ１〜Ｂ３  曝気ブロア
【図１】
2009061410.tif 000003
【図２】
2009061410.tif 000004
【図３】
2009061410.tif 000005